(57)【特許請求の範囲】
【請求項１】
内端部及び外端部を有し、前方に位置するレンズ部と前記レンズ部の周囲から後方へ延びるレンズ周壁部とを有する硬質プラスチック材料で形成された一対のレンズ部材と、これらレンズ部材どうしの内端部間に延びる柔軟弾性材料からなる鼻ベルトと、前記レンズ部材どうしの外端部間に延びるヘッドバンドと、前記レンズ周壁部の後端部分に位置する柔軟弾性材料で形成されたクッションパッドとを有するスイミングゴーグルにおいて、
前記レンズ部材が、少なくとも前記内端部における前記レンズ周壁部の外周面に、該周壁部の後方部分において側方へ張り出し、前記ゴーグル着用者の顔面寄りに位置してフランジを兼ねる後方張り出し部と、前記後方張り出し部よりも前記顔面から離れて前記後方張り出し部の前に位置する少なくとも一つの前方張り出し部と、前記後方張り出し部に、前記レンズ部材の前後方向へ延び互いに対向する前部及び後部とを有する透孔と、前記前方張り出し部と前記後方張り出し部との間に条溝とを備え、
前記前方張り出し部が前記レンズ部の側から見て前記透孔の前記前部の少なくとも一部分を遮蔽し、前記鼻ベルトを形成している前記柔軟弾性材料が、前記透孔及び前記条溝を満たし、前記透孔の前記前部の少なくとも一部を遮蔽している前記前方張り出し部の少なくとも一部と、前記透孔の近傍において前記後方張り出し部とを被覆していることを特徴とする前記ゴーグル。
【請求項２】
内端部及び外端部を有し、前方に位置するレンズ部と前記レンズ部の周囲から後方へ延びるレンズ周壁部とを有する硬質プラスチック材料で形成された一対のレンズ部材と、これらレンズ部材どうしの内端部間に延びる柔軟弾性材料からなる鼻ベルトと、前記レンズ部材どうしの外端部間に延びるヘッドバンドと、前記レンズ周壁部の後端部分に位置する柔軟弾性材料で形成されたクッションパッドとを有するスイミングゴーグルにおいて、
前記レンズ部材が、少なくとも前記外端部における前記レンズ周壁部の外周面に、該周壁部の後方部分において側方へ張り出し、前記ゴーグル着用者の顔面寄りに位置してフランジを兼ねる後方張り出し部と、前記後方張り出し部よりも前記顔面から離れて前記後方張り出し部の前に位置する少なくとも一つの前方張り出し部と、前記後方張り出し部に、前記レンズ部材の前後方向へ延び互いに対向する前部と後部とを有する透孔と、前記前方張り出し部と前記後方張り出し部との間に条溝とを備え、
前記前方張り出し部が前記レンズ部の側から見て前記透孔の前記前部の少なくとも一部分を遮蔽し、前記クッションパッドを形成している前記柔軟弾性材料が、前記透孔及び前記条溝を満たし、前記透孔の前記前部の少なくとも一部を遮蔽している前記前方張り出し部の少なくとも一部と、前記透孔の近傍において前記後方張り出し部とを被覆していることを特徴とする前記ゴーグル。
【請求項３】
前記内端部における前記後方張り出し部は、前方へ傾斜している請求項１又は請求項２に記載のゴーグル。
【発明の詳細な説明】
【０００１】
【発明の属する技術分野】
この発明は、スイミング用のゴーグルに関する。
【０００２】
【従来の技術】
米国特許第５，８０２，６２１号公報に開示されたスイミングゴーグルは、硬質材料からなる一対のレンズ部材と、柔軟弾性材料からなるクッションパッド部材と、ヘッドバンドとで構成されている。クッションパッド部材は、射出成形によって得られるもので、その射出成形の過程においてレンズ部材の周壁部に溶融密着する一対の環状パッド部とこれらパッド部を連結する鼻ベルト部とを有する。これらパッド部と鼻ベルト部とは射出成形の過程において一体的に形成され、パッド部につながる鼻ベルト部の基端部分にはレンズ部材のフランジに前方へ延びるように形成された小さな突起が進入している。
【０００３】
【発明が解決しようとする課題】
前記公知スイミングゴーグルのレンズ部材とクッションパッド部材とは、これらを射出成形する過程において互いに溶着することで一体化しているが、時としてクッションパッド部材に作用する外力によってこれら両者が剥離し、レンズ部材内部に水が浸入するということがある。また、クッションパッド部材では、パッド部のフランジに形成された突起が柔軟弾性材料からなる鼻ベルト部の基端部分に進入していることによって、鼻ベルト部がその長手方向へ引張られたときにパッド部がレンズ部材から剥離するという事態を防ぐことはできるのだが、鼻ベルト部が引張られる方向によっては、突起が鼻ベルトから抜けてしまい、所期の目的を果たさないこともある。
【０００４】
この発明は、硬質材料からなるレンズ部材と、柔軟弾性材料からなるクッションパッド部材とを有する前記公知の如きスイミングゴーグルの改良に係り、レンズ部材とクッションパッド部材とを互いに剥離したり外れたりすることがないように強固に結合させることを課題にしている。
【０００５】
【課題を解決するための手段】
前記課題を解決のために、この発明が対象とするのは、内端部及び外端部を有し、前方に位置するレンズ部と前記レンズ部の周囲から後方へ延びるレンズ周壁部とを有する硬質プラスチック材料で形成された一対のレンズ部材と、これらレンズ部材どうしの内端部間に延びる柔軟弾性材料からなる鼻ベルトと、前記レンズ部材どうしの外端部間に延びるヘッドバンドと、前記レンズ周壁部の後端部分に位置する柔軟弾性材料で形成されたクッションパッドとを有するスイミングゴーグルである。
【０００６】
かかるスイミングゴーグルにおいて、この発明が特徴とするところは、次の点にある。前記硬質プラスチック材料で形成されたレンズ部材と、同種類の柔軟弾性材料で一体的に形成された前記鼻ベルト及び前記クッションパッドとが、これら鼻ベルト及びクッションパッドの射出成形によって一体的に結合されている点。前記レンズ部材が、前記内端部又は前記外端部における前記レンズ周壁部の外周面に、該周壁部の後方部分において側方へ張り出し、前記ゴーグル着用者の顔面寄りに位置する後方張り出し部と、前記後方張り出し部よりも前記顔面から離れて前記後方張り出し部の前に位置する少なくとも一つの前方張り出し部と、前記後方張り出し部に、前記レンズ部材の前後方向へ延び互いに対向する前部と後部とを有する透孔と、前記前方張り出し部と前記後方張り出し部との間に条溝とを備えている点。さらに、前記前方張り出し部が前記レンズ部の側から見て前記透孔の前記前部の少なくとも一部分を遮蔽し、前記鼻ベルトおよびクッションパッドを形成している前記柔軟弾性材料が、前記透孔を満たし、前記透孔の前記少なくとも一部を遮蔽している前記前方張り出し部の少なくとも一部と、前記透孔の近傍において前記後方張り出し部とを被覆している点。前記内端部における前記後方張り出し部は、前方へ傾斜していることが好ましい。
【０００７】
【発明の実施の形態】
添付の図面を参照し、この発明に係るスイミングゴーグルの詳細を説明すると、以下のとおりである。
【０００８】
図１に斜視図で示されたスイミングゴーグル１は、ゴーグル１の前方に位置する一対のレンズ部材２およびクッションパッド部材３、並びにゴーグル１の後方に位置するヘッドバンド４を有する。レンズ部材２は、ポリカーボネート樹脂等の透明な硬質プラスチック材料で形成され、クッションパッド部材３はシリコンゴム等の柔軟弾性材料で形成されている。かかるクッションパッド部材３は、各レンズ部材２の周囲に延びる一対の環状パッド部６と、レンズ部材２の内端部１５においてこれらパッド部６どうしを連結している鼻ベルト部７と、レンズ部材２の外端部１６において後方ヘ延びるバックル取り付け用のアーム部８とを有する。ヘッドバンド４は、アーム部８に対してバックル９を介して長さ調節可能に取り付けられている。レンズ部材２とクッションパッド部材３とは、予め射出成形されたレンズ部材２をクッションパッド部材３を射出成形するための金型にインサートした後に、その金型でクッションパッド部材３を成形する過程において一体化されている。好ましい射出成形条件下において、クッションパッド部材３はレンズ部材２に溶着している。
【０００９】
図２，３は、射出成形されたレンズ部材２の平面図と側面図である。レンズ部材２は、前方に位置するレンズ部１１と、レンズ部１１の周縁から後方へ延びる周壁部１２とを有する。周壁部１２は、ゴーグル１着用者の顔面（図示せず）寄りに位置する後方部分において側方へ張り出す第１張り出し部２１と、第１張り出し部２１よりも顔面から離れて前方に位置する第２張り出し部２２と、第２張り出し部２２よりも更に前方に位置する第３張り出し部２３とを有し、第１張り出し部２１は周壁部１２のフランジを形成している。これら第１〜３張り出し部２１〜２３は、レンズ部材２の内端部１５を除くほぼ全周にわたって連続的に、または間欠的に延びている。レンズ部材２の内端部１５における周壁部１２には、そのレンズ部材２と並ぶもう一方のレンズ部材２の内端部１５へ向かって延びて前方へ傾斜する第４張り出し部２４と、第４張り出し部２４の前方に位置する第５張り出し部２５とが形成されている。レンズ部材２の外端部１６における第１張り出し部２１には、前後方向へ延び互いに対向する前部及び後部を有する外端部透孔２６が形成され、内端部１５における第４張り出し部２４には、前後方向ヘ延び互いに対向する前部及び後部を有する内端部透孔２７が形成されている。外端部透孔２６の前方には、レンズ部１１の側から見て、この透孔２６の前部の一部または全部を遮蔽するように、第２張り出し部２２および／または第３張り出し部２３が位置している。図３では、かような第１張り出し部２１と第２張り出し部２２との間に条溝２８が形成され、第１張り出し部２１と第３張り出し部２３との間に条溝２９が形成されている。これらの条溝２８，２９は、レンズ部材２の内端部１５を除くほぼ全周にわたって連続して延びているか、または間欠的に延びていてもよい。また、内端部透孔２７の前方には、レンズ部１１の側から見て、この透孔２７の前部の少なくとも一部を遮蔽するように第５張り出し部２５が位置している。図３の例では、その第５張り出し部２５が内端部透孔２７における前方開口部分３１（図４参照）の一部を塞いでいる。
【００１０】
図４，５は、図２のＩＶ−ＩＶ線およびＶ−Ｖ線矢視図であって、レンズ部材２の内端部１５および外端部１６の断面の詳細を示している。図４において、周壁部１２の外面には、前方へ第４張り出し部２４と内端部透孔２７とが形成され、第５張り出し部２５が透孔２７の前方開口部分３１の一部を塞いでいる。図５において、レンズ部１１の周縁から後方（図の下方）へ延びる周壁部１２の外周面には側方へ向かっての第１〜第３張り出し部２１〜２３が形成され、第１張り出し部２１には前後方向へ延びる外端部透孔２６が形成されている。第１張り出し部２１と第２張り出し部２２との間には条溝２８が、第１張り出し部２１と第３張り出し部２３との間には条溝２９が形成されている。
【００１１】
図６は、図１のＶＩ−ＶＩ線矢視図である。レンズ部材２と一体化するように射出成形されたクッションパッド部材３は、それを形成する柔軟弾性のプラスチック材料３２がレンズ部材２の外端部１６では、外端部透孔２６と条溝２８，２９とを満たすとともに透孔２６の近傍で第１張り出し部２１を被覆した状態にあって周壁部１２の外周面に密着し、好ましくは溶着している。クッションパッド部材３において後方へ延びるアーム部８にはバックル９が取り付けられ、バックル９にはヘッドバンド４が挿通されている。レンズ部材２の内端部１５では、プラスチック材料３２が内端部透孔２７を満たすとともに第５張り出し部２５の後面３３と側面３４とに密着し、かつ、第４張り出し部２４を被覆している。かかる内端部１５においても、プラスチック材料３２は、レンズ部材２の各部位に対して密着するのみならず溶着していることが好ましい。内端部１５では、第４張り出し部２４が鼻ベルト部７の基端部分３６に、鼻ベルト部７の長手方向へ向かって進入した状態にある。レンズ部材２の内端部１５と外端部１６との間においては、プラスチック材料３２が外端部透孔２６の近傍で第１張り出し部２１を被覆するのみならず周壁部１２の周り方向へ延びている部分の第１張り出し部２１をも被覆し、また同じくその周り方向へ延びる条溝２８，２９をも満たし、図１に示されるように周壁部１２の全周に密着し、より好ましくは溶着している。
【００１２】
このように形成されたゴーグル１では、鼻ベルト部７に図１に矢印１０で示される左右方向へ引張る力が作用した場合、その力は内端部透孔２７を満たしている部分のプラスチック材料３２を介して第４張り出し部２４の先端部分３６（図６参照）に支えられてクッションパッド部材３のパッド部６に及ばない。それゆえ、パッド部６はレンズ部材２から外れることがなく、鼻ベルト部７は第４張り出し部２４から抜けるということがない。かかる機能は、第４張り出し部２４の先端部分３６が前方へ傾斜していることで更に強化される。また、内端部透孔２７を満たしている部分のプラスチック材料３２は、透孔２７の一部を遮蔽している第５張り出し部２５が前方から当接している状態にあるから、鼻ベル部７がそのように引張られても透孔２７の前方へ動くことがなく、鼻ベルト部７の基端部３６がレンズ部材２の周壁部１２から離間して両部１２，３６の間からレンズ部材２の内部へ水が浸入するという恐れがない。レンズ部材２の外端部１６では、外端部透孔２６を満たす部分のプラスチック材料３２に透孔２６の一部を遮蔽している第２張り出し部２２および／または第３張り出し部２３が前方から当接しているから、この部分のプラスチック材料３２は透孔２６の前方へ動くことがなく、ヘッドバンド４を支えるアーム部８がどのように揺れ動いても、クッションパッド部材３がレンズ部材２から離間してレンズ部材２の内部へ水が浸入するという恐れがない。
【００１３】
この発明に係るスイミングゴール１において、レンズ部材２の外端部１６は、第１張り出し部２１の前方に第２張り出し部２２または第３張り出し部２３のいずれか一方だけが形成されている状態であってもよい。また、レンズ部材２は、第１張り出し部２１及び第４張り出し部２４の少なくとも一つを有することが必要である。
【００１４】
【発明の効果】
この発明に係るスイミングゴールは、レンズ部材周壁部の後方に形成された張り出し部が透孔を有し、クッションパッド部材を形成するプラスチック材料がその透孔を満たすとともにその張り出し部を被覆し、かつ、その透孔の前方に位置するもう一つの張り出し部にまで及んでいるから、クッションパッド部材は、周壁部と強固に結合し、周壁部から外れたり剥離したりすることがない。
【図面の簡単な説明】
【図１】  スイミングゴーグルの斜視図。
【図２】  レンズ部材の平面図。
【図３】  レンズ部材の側面図。
【図４】  図２のＩＶ−ＩＶ線矢視図。
【図５】  図２のＶ−Ｖ線矢視図。
【図６】  図１のＶＩ−ＶＩ線矢視図。
【符号の説明】
１    スイミングゴーグル
２    レンズ部材
３    クッションパッド部材
４    ヘッドバンド
６    パッド
７    鼻ベルト
１２    レンズ周壁部
２１    後方張り出し部（第１張り出し部）
２２    前方張り出し部（第２張り出し部）
２３    前方張り出し部（第３張り出し部）
２４    後方張り出し部（第４張り出し部）
２５    前方張り出し部（第５張り出し部）
２６    透孔
２７    透孔
【図１】
0003686584.tif 000002
【図２】
0003686584.tif 000003
【図３】
0003686584.tif 000004
【図４】
0003686584.tif 000005
【図５】
0003686584.tif 000006
【図６】
0003686584.tif 000007